【手続補正書】
【提出日】平成17年11月14日(2005.11.14)
【手続補正１】
【補正対象書類名】特許請求の範囲
【補正対象項目名】全文
【補正方法】変更
【補正の内容】
【特許請求の範囲】
【請求項１】
乳酸系樹脂を含有する組成物から形成されてなることを特徴とする変形形状保持体。
【請求項２】
乳酸系樹脂が、ポリ乳酸系脂肪族ポリエステル樹脂であることを特徴とする請求項１に記載の変形形状保持体。
【請求項３】
組成物が、脂肪族ポリエステル樹脂および脂肪族・芳香族ポリエステル樹脂からなる群から選ばれる１種類以上の樹脂をさらに含有することを特徴とする請求項１又は２に記載の変形形状保持体。
【請求項４】
組成物が、熱可塑性樹脂から選ばれる１種類以上の樹脂をさらに含有することを特徴とする請求項１〜３のいずれか一項に記載の変形形状保持体。
【請求項５】
請求項１〜４のいずれか一項に記載の変形形状保持体を、他の素材と部分的に又は全体的に組み合わせてなることを特徴とする変形形状保持体。
【手続補正２】
【補正対象書類名】明細書
【補正対象項目名】全文
【補正方法】変更
【補正の内容】
【発明の詳細な説明】
【発明の名称】変形形状保持体
【技術分野】
【０００１】
本発明は、ひねり結束材や自由変形材として使用される変形形状保持体に関するものである。特に、本発明は、種々の形状に容易に加工でき、安全でしかも優れた形状保持性能を有する樹脂製の変形形状保持体に関するものである。
【背景技術】
【０００２】
変形形状保持体の素材としては、従来、その形状保持性能の安定性と使いやすさから、鉛棒や、なまし針金が用いられていた。
【０００３】
しかしながら、金属である針金や鉛棒を、食品の包装や、子供の玩具、勉強用具、身の回り品などの梱包に用いると、手指に傷を負うなどの危険性があり、樹脂製の変形形状保持体が望まれていた。
【０００４】
一方、一部の用途では、樹脂製品を芯材にした変形形状保持体が提案されているものの、これらの多くはその樹脂の芯材としての形状保持性能が、樹脂の持つ復元性のために、針金等の金属製の変形形状保持体に比べて劣る結果となっていた。また、この対策として、異素材とラミネート成型する方法や、芯材の外観に特殊な成型をすることで復元性を抑えて使用する方法や、低温延伸、超高倍率延伸による方法が提案されているが、これらの方法はいずれも、製品の構成や構造の複雑さによる実用的な製造適性の問題があったり、高度の加工を要したり、製品の形状が制限されていたり、性能が不安定であったり、使い勝手が悪いなどの多くの問題点を持っていた。
【特許文献１】実開昭６０−１９０６５４号
【特許文献２】特開平１１−００１２６３号
【特許文献３】特開２００３−７２８２９号
【発明の開示】
【発明が解決しようとする課題】
【０００５】
本発明が解決しようとする課題は、従来の針金や鉛棒を用いた変形形状保持体の安全上の問題、また従来の樹脂製の変形形状保持体の不十分な保持性能、複雑で高価な製造方法、製品形状の制限などの問題を克服することにある。
【課題を解決するための手段】
【０００６】
本発明者は、かかる課題を解決するために変形形状保持体を形成する好適な樹脂の種類について鋭意検討した結果、乳酸系樹脂が特殊な成型加工を行わなくても優れた形状保持性能を有することを発見し、遂に本発明を完成するに至った。
【０００７】
即ち、本発明によれば、乳酸系樹脂を含有する組成物から形成されてなることを特徴とする変形形状保持体が提供される。本発明の好ましい実施態様によれば、乳酸系樹脂はポリ乳酸系脂肪族ポリエステル樹脂である。本発明のさらに好ましい実施態様によれば、組成物は脂肪族ポリエステル樹脂および脂肪族・芳香族ポリエステル樹脂からなる群から選ばれる１種類以上の樹脂、及び／又は熱可塑性樹脂から選ばれる１種類以上の樹脂をさらに含有する。また、本発明によれば、かかる変形形状保持体を、他の素材と部分的に又は全体的に組み合わせてなることを特徴とする変形形状保持体が提供される。
【発明の効果】
【０００８】
本発明の変形形状保持体は乳酸系樹脂を含有する組成物からなるため、特殊な成型加工を行わなくても優れた変形形状保持性能を有するので、従来の樹脂製の変形形状保持体とは異なり、十分な形状保持性能を有し、形状に制限がなく、低温延伸や超高倍率延伸等の特殊な加工も不要であり、製造費用が安い。また、従来の金属製の変形形状保持体とは異なり、安全である。また、本発明の変形形状保持体はその形状をシート状やフィルム状に加工した場合、その変形加工を従来の樹脂シートやフィルムあるいは金属板等には必要であった加熱や加圧といった特殊な加工条件を加えることなく簡単に行うことができる。
【発明を実施するための最良の形態】
【０００９】
本発明の変形形状保持体は特殊な成型加工を行わなくても優れた変形形状保持性能を有するという特徴を持つ乳酸系樹脂を含有する組成物から形成されることを最大の特徴とする。本発明の変形形状保持体を構成する組成物中の乳酸系樹脂はポリ乳酸系脂肪族ポリエステル樹脂であることが好ましい。また、この組成物は脂肪族ポリエステル樹脂および脂肪族・芳香族ポリエステル樹脂からなる群から選ばれる１種類以上の樹脂、及び／又は熱可塑性樹脂から選ばれる１種類以上の樹脂をさらに含有することができる。なお、この組成物には、目的により着色剤や発泡剤や種々の改質材を添加することができる。本発明の変形形状保持体の製造は、乳酸系樹脂を含有する組成物を円形断面を有する棒状、異型、テープ状、フィルム状などの種々の形状に単に押出成型加工や射出成型加工などの加熱溶融成型加工することにより容易に行うことができる。また、本発明の変形形状保持体はファッション性や機能性を向上させるために他の素材と部分的に又は全体的に組み合わされることができる。組み合わせ対象の他の素材としては、紙、樹脂フィルム、ゴム、粘土などが考えられるがこれらに限定されるものではない。
【実施例】
【００１０】
以下、本発明を代表的な図面を参照してさらに詳述するが、本発明はこれらの実施例に限定されるものではない。
図１、図２、図３は、乳酸系樹脂を含有する組成物を押出成型加工することにより得られた本発明による変形形状保持体の一例であり、図４、図５は、図１の変形形状保持体と他の素材を組み合わせた変形形状保持体の例であり、図６から図１０はこれらの使用例である。
【００１１】
実施例１
本発明の変形形状保持体の形状としては、図１のような円形断面を有する棒状のものが使用しやすいが、図２のような異型、図３のようなテープ状、シート状、またはフィルム状などどのような形状でも良い。断面が円形状の場合、断面の直径は０．３ｍｍから６．０ｍｍであるものが使用しやすいが、目的によってはこれに制限されない。
【００１２】
実施例２
本発明による変形形状保持体は、ファッション性や機能性を向上させるために他の素材と組み合わせることができる。
図４は、図１の変形形状保持体を芯材としゴムチューブ等の樹脂チューブを鞘材として組み合わされた変形形状保持体の例であり、図５は図１の変形形状保持体を芯材として紙やポリエステルフィルムで挟んで貼り合わせた変形形状保持体の例である。
【００１３】
実施例３
本発明の変形形状保持体のひねり性能を活かした使用例を図６及び図７に示す。図６は菓子袋の開口部の封緘用結束材としての使用例であり、図７は、支柱と植物の苗茎や枝の結束材としての使用例である。また、図示しないが本発明の変形形状保持体は電線束、野菜等の結束のための工業用、農業用の結束材としても幅広く使用することができる。また、結束材の形状は図示したテープ状のものに限定されず、フィルム状やシート状であることもできる。
【００１４】
本発明の変形形状保持体の自由変形形状保持性能を活かした使用例を図８から図１０に示す。図８は本発明の変形形状保持体を芯材とした曲線などを描く自在定規である。図８は、本発明による変形形状保持体を芯材として利用した例であるが、もちろんこの自在定規は変形形状保持体自体のみで構成されることもできる。また、図示しないが本発明の変形形状保持体はその自由変形形状保持性能を活かして複雑な形状物の外面の型取り用材料として使用することもできる。
【００１５】
図９は造花の茎として、図１０は人形の芯材として本発明の変形形状保持体を使用した例を示す。本発明の変形形状保持体はその他、手芸用に広く使用できる。例えば、本発明の変形形状保持体は織物の中に織り込んで、リボンや帯状物などの形状を自由に変形した状態で保持させて意匠性の効果を高める用途などにも使用できる。また、本発明の変形形状保持体は撚紐や、編み物などにも使用できる。
【産業上の利用可能性】
【００１６】
本発明の変形形状保持体は、樹脂製でありながら、従来の樹脂製の変形形状保持体の持つ欠点である形状保持性能が不十分な点や、製造が複雑で高価であり製品の形状が制限されていた点が改善されている。また、本発明の変形形状保持体は、樹脂製品であるため、従来の金属製の変形形状保持体と比べて安全である。従って、本発明の変形形状保持体は、ひねり性能を利用して手指に傷を付けたりする危険性がないひねり包装材、ひねり結束材等の種々の包装材や、結束材として使用でき、また、自由変形形状保持性能を利用して自在定規、人形や造花の芯材等として使用することができる。
【図面の簡単な説明】
【００１７】
【図１】断面が円形で線・棒状に成型した本発明の変形形状保持体の例を示す。
【図２】断面が異型形状で成型した本発明の変形形状保持体の例を示す。
【図３】断面が偏平のテープ・シート・フィルム状で成型した本発明の変形形状保持体の例を示す。
【図４】異素材であるチューブ（２）の芯材として図１の断面を持つ本発明の変形形状保持体（１）を使用した変形形状保持体の例を示す。
【図５】異素材である紙テープ（３）を貼り合わせ、その芯材として図１の断面を持つ本発明の変形形状保持体（１）を使用した変形形状保持体の例を示す。
【図６】図１から図５に代表される形状の本発明の変形形状保持体（４）をひねり結束材として菓子袋（５）の開口部の封緘用に使用した例を示す。
【図７】図１から図５に代表される形状の本発明の変形形状保持体（４）をひねり結束材として植物の茎（６）と支柱（７）の結束用に使用した例を示す。
【図８】図１から図５に代表される形状の本発明の変形形状保持体（４）を自在定規（８）の芯材として使用した例を示す。
【図９】図１から図５に代表される形状の本発明の変形形状保持体（４）を造花の茎（９）や枝（１０）の芯材として使用した例を示す。
【図１０】図１から図５に代表される形状の本発明の変形形状保持体（４）を自由にその姿勢を変えて楽しめる人形（１１）の芯材に使用した例を示す。
【符号の説明】
【００１８】
（１）  図１の形状で成型加工した本発明による変形形状保持体
（２）  本発明の変形形状保持体と組み合わせて使用する他の素材例
（３）  本発明の変形形状保持体と組み合わせて使用する他の素材例
（４）  図１から図５に代表される形状の本発明による変形形状保持体
（５）  開口部を結束する被包装体の例であるポリ袋製の菓子袋
（６）  支柱（７）に支えられる植物の茎
（７）  植物を支える支柱
（８）  自在定規
（９）  造花の茎に当たる部分
（１０）  造花の枝に当たる部分
（１１）  自由にその姿勢を変えて楽しめる人形